(57)【特許請求の範囲】
【請求項１】
左右の側頭部に穴（７）を開けた帽子と、一枚の長い長方形のマフラーを３枚に裁断し、中央を巻きの部分（１）、左右の部分を正面から見て右の垂れ（２）、正面から見て左の垂れ（３）とし、巻きの部分（１）はマフラーの長辺に平行となるように裁断し、そのうちの一枚を巻きの前の部分（１−１）、もう一枚を巻きの後の部分（１−２）とし、巻きの前の部分（１−１）と巻きの後の部分（１−２）の両端をそれぞれ一緒に縫い縮め、一方の端に巻きと正面から見て右の垂れを連結する金具（４−１）を、他の端に巻きと正面から見て左の垂れを連結する金具（５−１）を取り付け、正面から見て右の垂れ（２）の中央側の端を縫い縮め、巻きと正面から見て右の垂れを着脱可能に連結するための垂れ側の金具（４−２）を取り付け、帽子の一方の穴（７）内で金具（４−１）と金具（４−２）とが着脱可能に連結され、同様に正面から見て左の垂れ（３）の中央側の端を縫い縮め、巻きと正面から見て左の垂れを着脱可能に連結するための垂れ側の金具（５−２）を取り付け、帽子の他方の穴（７）内で金具（５−１）と金具（５−２）とが着脱可能に連結された帽子に取り付けるマフラーで構成され、マフラーを着用することにより風で帽子が飛ばないようにした着脱式マフラー付帽子。
【発明の詳細な説明】
【技術分野】
【０００１】
本発明は，帽子とマフラーに関する。
【背景技術】
【０００２】
外出時に帽子とマフラーは必需品である。特に晴天時には紫外線及び熱中症の対策をとることは必要なことである。帽子が風で飛ばされないように、帽子に穴を開け、マフラーを通すことを特許文献１で提案をした。
【先行技術文献】
【特許文献】
【０００３】
【特許文献１】特許５２８１１３２号公報
【発明の概要】
【発明が解決しようとする課題】
【０００４】
帽子に穴を開け、紐を通して風で飛ばないようにすることは従来行われてきたが、マフラーを通すことは行われてこなかった。マフラーを通す穴は従来の紐を通すものに比べて大きいものとなり、帽子に対するダメージも大きい。
また、マフラーも切れ目を帽子の前後に分けて穴から通すことは、なかなかスムーズには行えないし、取り付けた後、形を整えるのに時間がかかる。
帽子の穴を小さくすること、マフラーを素早く取り付け取り外しが出来るようにすることが課題である。
【課題を解決するための手段】
【０００５】
帽子（６）の左右の側頭部にマフラーの金具が着脱可能に連結出来る大きさの穴（７）を開ける。
【０００６】
マフラーは切れ目のある部分と帽子の下に垂らす部分とに分けて、帽子の穴で連結させる。
即ち、一枚の長い長方形のマフラーを３枚に裁断し、中央を巻きの部分（１）、左右の部分を正面から見て右の垂れ（２）、正面から見て左の垂れ（３）とする。
巻きの部分（１）はマフラーの長辺に平行となるように数枚に裁断し、そのうちの一枚を巻きの前の部分（１−１）、もう一枚を巻きの後の部分（１−２）とする。（図４）巻きの前の部分（１−１）と巻きの後の部分（１−２）の両端をそれぞれ一緒に縫い縮め、一方の端に巻きと正面から見て右の垂れを連結する金具（４−１）を、他の端に巻きと正面から見て左の垂れを連結する金具（５−１）を取り付け、正面から見て右の垂れ（２）一方の端を縫い縮め、巻きと正面から見て右の垂れ側の金具（４−２）を取り付け、一方の穴（７）内に金具（４−１）と金具（４−２）とが、着脱可能に連結され、他方の穴内で金具（５−１）と、金具（５−２）が着脱可能に連結させた。
正面から見て右の垂れ（２）の中央側の端を縫い縮め、巻きと正面から見て右の垂れ
を着脱可能に連結する垂れ側の金具（４−２）を取り付けた。
同様に正面から見て左の垂れ（３）の中央側の端を縫い縮め、巻きと正面から見て左の垂れを着脱可能に連結するための垂れ側の金具（５−２）を取り付ける。マフラーを着用することにより風で帽子が飛ばないようにした着脱式マフラー付帽子。
【発明の効果】
【０００７】
散歩・ウォーキングをする時、ガーデニングの時、外出をする時、風で帽子が飛ぶ心配がないので、安心して帽子を被ることができる。
帽子の穴にマフラーを通すのでなく、マフラーの上部と下部を連結させるので、帽子の穴は小さくても良く、帽子に与えるダメージも少ない。
マフラーも素早く取り付けることが出来き、また形を整えるのも容易である。
マフラーは着脱式なので、帰宅後すばやく取外して洗濯が出来る。
また外出時には、その日の天候、気分により、様々なマフラーを使用することができ、ファッションを楽しむことが出来る。
マフラーで帽子が風で飛ばないので、すべりも緩めで良く、頭を締め付けることがない。
風で飛ばされる心配がないので、つばを広く取ることが出来、より日差しを遮ることができる。
マフラーは首の後ろを回すので、後頭部を覆うことが出来、保冷剤を合わせて使用すると、熱中症の対策になる。
【図面の簡単な説明】
【０００８】
【図１】帽子にマフラーを取り付けた使用図
【図２】帽子の側頭部に穴を開けたことを示した側面図
【図３】マフラーの各部分の平面図
【図４】マフラーの裁断図
【図５】帽子にマフラーを取り付けた斜視図
【図６】（Ａ）右から見たマフラーの連結部拡大図   （Ｂ）左から見たマフラーの連結部拡大図
【図７】連結部説明図
【発明を実施するための形態】
【０００９】
帽子（６）の左右の側頭部にマフラーの金具が着脱可能に連結出来る大きさの穴（７）を開ける。この穴は金具が着脱可能に連結するための穴なので、金具の外径が通ることのできる内径の穴であれば良く、内径5ミリのハトメでも可能である。
マフラーを切れ目のある部分と帽子の下に垂らす部分とに分けて、帽子の穴で再び連
結させ元のマフラーと同様に見える構造とした。
即ち、一枚の長い長方形のマフラーを３枚に裁断し、中央を巻きの部分（１）、左右
の部分を正面から見て右の垂れ（２）、正面から見て左の垂れ（３）とする。
巻きの部分（１）は長辺に平行となるように数枚に裁断し、そのうちの一枚を巻きの
前の部分（１−１）、もう一枚を巻きの後の部分（１−２）とする。（図４）
この時、垂れの部分を考慮に入れて、一番綺麗な部分が巻きの前の部分（１−１）後
の部分（１−２）に来るようにする。巻きの前の部分（１−１）と、巻きの後の部分
（１−２）は、芯を設けると巻きを帽子に取り付ける時に素早く取り付けることが出
来、且つ形も整え易い。
巻きの前の部分（１−１）と巻きの後の部分（１−２）の両端をそれぞれ一緒に縫い
縮め、一方の端に巻きと正面から見て右の垂れを連結する金具（４−１）を、他の端に巻きと正面から見て左の垂れを連結する金具（５−１）を取り付け、正面から見て右の垂れ（２）一方の端を縫い縮め、巻きと正面から見て右の垂れ側の金具（４−２）を取り付ける。一方の穴（７）内に金具（４−１）と金具（４−２）とが、着脱可能に連結され、他方の穴内で金具（５−１）と、金具（５−２）が着脱可能に連結させた。
正面から見て右の垂れ（２）の中央側の端を縫い縮め、巻きと正面から見て右の垂れ
を着脱可能に連結するための垂れ側の金具（４−２）を取り付ける。
同様に正面から見て左の垂れ（３）の中央側の端を縫い縮め、巻きと正面から見て左
の垂れを着脱可能に連結するための垂れ側の金具（５−２）を取り付ける。
巻きと正面から見て右の垂れを着脱可能に連結するための金具（４−１）と巻きと正
面から見て右の垂れを着脱可能に連結するための垂れ側の金具（４−２）は連結して、
巻きと正面から見て右の垂れを着脱可能に連結するための金具（４）を形成し、巻き
と正面から見て左の垂れを着脱可能に連結するための巻き側の金具（５−１）と巻き
と正面から見て左の垂れを着脱可能に連結するための垂れ側の金具（５−２）は連結
して、巻きと正面から見て左の垂れを着脱可能に連結するための金具（５）を形成す
る。（図７）
またこの時、巻きと正面から見て右の垂れを着脱可能に連結するための金具（４−１）
と巻きと正面から見て左の垂れを着脱可能に連結するための垂れ側の金具（５−２）
を同じ形の金具とし、巻きと正面から見て右の垂れを着脱可能に連結するための垂れ
側の金具（４−２）と巻きと正面から見て左の垂れを着脱可能に連結するための金具
（５−１）を同じ形の金具とすれば、連結部の金具を連結してもとの一枚のマフラー
とほぼ同様の図柄とすることが出来る。
帽子の穴にマフラーを通すのでなく、連結用の金具を用いて着脱可能に連結させるの
で、帽子の穴は小さくても良く、帽子に与えるダメージは小さくなる。
マフラーを帽子に取り付けると帽子が風で飛ばないので、帽子のすべりも緩めにする
ことが出来、頭を締め付けられることで不快を感じる人も、帽子を脱いだ後の髪型を
気にする人も満足を覚える。
風で飛ばされる心配がないので、帽子のつばを広く取ることができ、より日差しを遮
ることができる。
マフラーは首の後ろを回して後頭部を覆うことが出来る。特に熱中症は後頭部を冷や
すことを対策として求められるので、マフラーの垂れにポケットをつけて保冷剤を入
れることも出来る。また垂れを後頭部で交差させ前へ伸ばし、顎の下で結ぶと、保冷
剤を首に巻いた上からマフラーで隠すことが出来る。
散歩から帰ったあと、簡単にマフラーを取り外し洗濯することが出来る。
その日の気分でマフラーを替えることが出来るので、帽子とマフラーの組み合わせに
よるファッションを楽しむことが出来る。
【符号の説明】
【００１０】
１．        マフラーの巻きの部分
１−１  巻きの前の部分
１−２  巻きの後の部分
２．    正面から見て右の垂れ
３．    正面から見て左の垂れ
４．    巻きと正面から見て右の垂れを着脱可能に連結するための金具
４−１  一方の穴内で着脱可能に連結するための巻き側の金具
４−２  一方の穴内で着脱可能に連結するための垂れ側の金具
５．    巻きと正面から見て左の垂れを着脱可能に連結するための金具
５−１  他方の穴内で着脱可能に連結するための巻き側の金具
５−２  他方の穴内で着脱可能に連結するための垂れ側の金具
６      帽子
７．    帽子の穴
８．    マフラー
【要約】
【課題】外出時、散歩時、ガーデニング時に帽子を被ることは必要なことであるが、しばしば風で帽子を飛ばされる心配がある。その対策として、帽子の側頭部に穴を開け、切れ目のあるマフラーを通すことを考えたが、これでは大きい穴が必要となり、帽子に与えるダメージが大きい。本発明は、帽子に開ける穴を小さくし、マフラーも素早く取り外しが出来、形も整えやすい着脱式マフラーの付いた帽子を提供する。
【解決手段】長方形の長いマフラーを三部分に切断し、中央部（１）で帽子の巻きを作り、右の垂れ（２）と左の垂れ（３）と連結するための金具（４）（５）を設けたことを特徴とする。
【選択図】図１【図１】
0005695251.tif 000002
【図２】
0005695251.tif 000003
【図３】
0005695251.tif 000004
【図４】
0005695251.tif 000005
【図５】
0005695251.tif 000006
【図６】
0005695251.tif 000007
【図７】
0005695251.tif 000008